(57)【要約】【課題】既設屋根にビス等の固定具のための孔を開けたり傷付けたりすることによる雨仕舞の不安が無く、しかも、既設屋根への取り付けを確実且つ効率良く簡単に行なえる改修用取付具および屋根改修構造を提供することにある。【解決手段】上面部１ａのねじ孔部１ｂに、下端が既設屋根７の縦桟７ａに余裕をもって達する長さのボルト２を螺合し、上面部１ａから垂下状の左右側面部１ｃにおける係止部１ｄを縦桟７ａの左右の突縁状はぜ部７ｂに下側から係止可能に形成し、一方の側面部１ｃに当て部１ｅをボルト２下端の下側の上位置から同ボルト２下端に押されて縦桟７ａに当接する下位置へ可動可能に設けてある。【選択図】  図５
2004300669.tif 000002
【特許請求の範囲】
【請求項１】
上面部のねじ孔部に、下端が既設屋根の縦桟に余裕をもって達する長さのボルトを螺合し、上面部から垂下状の左右側面部における係止部を前記縦桟の左右の突縁状はぜ部に下側から係止可能に形成し、前記一方の側面部に当て部を前記ボルト下端の下側の上位置から同ボルト下端に押されて縦桟に当接する下位置へ可動可能に設けてあることを特徴とする改修用取付具。
【請求項２】
請求項１の改修用取付具を用いた屋根改修構造であって、既設屋根の縦桟に取付具を左右の係止部が左右の突縁状はぜ部の下側にあるように配し、この縦桟に取付具を、ボルトの締め付けにより当て部が同ボルト下端に押されて縦桟に当接して左右側面部の係止部が縦桟の左右の突縁状はぜ部に下側から係止した固定状態に取り付け、上面部上に新設屋根を敷設してあることを特徴とする屋根改修構造。
【請求項３】
隣り合う取付具間における既設屋根上に断熱材を配設してあることを特徴とする請求項３記載の屋根改修構造
【発明の詳細な説明】
【０００１】
【発明の属する技術分野】
本発明は改修用取付具およびこの取付具を用いた屋根改修構造に関する。
【０００２】
【従来の技術】
既存の屋根を剥がさないで新設屋根を重ね葺きするものとして様々なものが提案されている。
例えば、特許文献１には、既設の瓦棒屋根材の上にこれを被覆する金属板屋根材を設置する屋根補修工法において、断面ほぼ逆Ｕ字形で相対向する両側壁の脚端を内側に屈曲させた金属板のフレームと、両側壁を貫通し締め込みにより両側壁を対向方向に押し込むねじ部材とよりなるクランプ金具を用い、クランプ金具を既設の瓦棒屋根材の瓦棒部の上にこれを跨ぐように配し、上記ねじ部材を締め込んで上記脚端で瓦棒屋根材の瓦棒部を両側面から挟み付けてクランプ金具を瓦棒部に固定し、固定されたクランプ金具の上に金属板屋根材の山部を重ね合わせ、これをクランプ金具のフレームにねじ締め固定するようにした屋根補修工法が記載されている。
この補修工法では、既設の瓦棒屋根材の瓦棒部にビス等の固定具のための孔を開けないで済むため、雨仕舞の面から非常に好ましい工法である。
ところで、瓦棒部にクランプ金具を固定する際、屋根面と平行状のねじ部材を締め込み操作するのであるが、この締め込み用の工具を取り回しするには瓦棒部の高さが十分でないため、手間・暇がかかって効率的でない問題を抱えている。
【０００３】
【特許文献１】
特許第２９０７４２３号
【０００４】
【発明が解決しようとする課題】
解決しようとする課題は、第１には、既設屋根にビス等の固定具のための孔を開けたり傷付けたりすることによる雨仕舞の不安が無く、しかも、既設屋根への取り付けを確実且つ効率良く簡単に行なえる改修用取付具を、第２には、前記の取付具を用いることで、雨仕舞の不安が無く、しかも、工具を自在に取り回して改修施工を効率良く行なえる屋根改修構造を、第３には、さらに、高い断熱性を有する屋根改修構造を提供することにある。
【０００５】
【課題を解決するための手段】
本発明は前記した課題を達成するため、改修用取付具では、上面部のねじ孔部に、下端が既設屋根の縦桟に余裕をもって達する長さのボルトを螺合し、上面部から垂下状の左右側面部における係止部を前記縦桟の左右の突縁状はぜ部に下側から係止可能に形成し、前記一方の側面部に当て部を前記ボルト下端の下側の上位置から同ボルト下端に押されて縦桟に当接する下位置へ可動可能に設けてあることを特徴とする。
そして、前記した取付具を用いた屋根改修構造では、既設屋根の縦桟に取付具を左右の係止部が左右の突縁状はぜ部の下側にあるように配し、この縦桟に取付具を、ボルトの締め付けにより当て部が同ボルト下端に押されて縦桟に当接して左右側面部の係止部が縦桟の左右の突縁状はぜ部に下側から係止した固定状態に取り付け、上面部上に新設屋根を敷設してあることを特徴とする。
また本発明の屋根改修構造では、前記した隣り合う取付具間における既設屋根上に断熱材を配設してあることを特徴とする。
【０００６】
本発明における改修用取付具は、金属製或いは合成樹脂製のピース材、長尺材のいずれであっても良い。取付具における上面部は、新設屋根が取り付けられる保持部材の取付面であっても良いし、この上面部に保持部材が同一体に形成されていても良い。また、上面部は、一重構造或いは上下二重構造のいずれに形成しても良い。上面部におけるねじ孔部は、取付具が長尺材である場合は複数になり、取付具がピース材である場合にはひとつになるが、長めのピース材である場合は複数であっても良い。
当て部は、側面部と同一体に形成しても良いし、別部材をビス止め或いは接着等して一体化しても良い。この当て部は、当て部上面をボルト下端に押されることで、同ボルト下端の下側の上位置から縦桟に当接する下位置へ可動可能であれば良く、ボルトによる下位置への移動過程で取付具からせん断されるものも含まれ、ボルト下端と縦桟との間に介在して、ボルト下端が縦桟にダイレクトに接触するのを阻止し得るものであれば良い。また、当接部は、既設屋根の縦桟上に当接可能であれば、フラット状、円弧状、角状等の如何なる形状であっても良い。係止部は、左右側面部の下端から折り曲げて形成するものでも良いし、側面部途中から打ち出して形成するものであっても良く、既設屋根の突縁状はぜ部に下側から係止可能な形状のものであれば良い。
【０００７】
【発明の実施の形態】
図１および図２には本発明の改修用取付具における実施の１形態を例示しており、取付具１は金属製のピース材で、上面部１ａ中央のねじ孔部１ｂには下端が後の屋根改修構造で説明する既設屋根７の縦桟７ａの上面部７ｃに余裕をもって達する長さのボルト２を螺合し、上面部１ａから垂下状の左右側面部１ｃにおける下端内縁には係止部１ｄを内方斜め上向きに突設して縦桟７ａの左右の突縁状はぜ部７ｂに下側から係止可能に形成し、左方の側面部１ｃには当て部１ｅをボルト２下端の下側の上位置から同ボルト２下端に押されて縦桟７ａの上面部７ｃに当接する下位置へ可動可能に設けてある。
【０００８】
そして、上面部１ａにおけるねじ孔部１ｂの前後には後の屋根改修構造で説明する新設屋根１４の保持部１ｆを立設してある。この保持部１ｆは、断面略上下二段傘状にし、上側の第１被係止部１ｆ１と下側の第２係止部１ｆ２を左右対称状に形成してあり、第１被係止部１ｆ１に新設屋根材１５側縁の第１係止部１５ｂが、第２被係止部１ｆ２に新設屋根材１５側縁の第２係止部１５ｃが、それぞれ係止可能に形成してある。
また、上面部１ａは上下二重状に形成して強度アップを図ってある。
当て部１ｅは左方の側面部１ｃに同一体に形成してある。この当て部１ｅは、側面部１ｃ内面から内方斜め下向きに延びる延長部１ｅ１と、この延長部１ｅ１先端から右方の側面部１ｃに向けて斜め上向きに延びる当接部１ｅ２からなり、ボルト２で押し下げられた際に、延長部１ｅ１が弾性的に撓ることで、当接部１ｅ２が斜め上むき状の上位置から水平状の下位置に可動して縦桟７ａの上面部７ｃに当接し得るようにしてある。
ボルト２の下端は、平坦状または丸頭状に形成して、当接部１ｅ２を突き破らぬようにしてある。
【０００９】
図３には本発明の改修用取付具における実施の他の１形態を例示しており、構成は前記した図１の態様のものと基本的に同一であるため、共通している構成の説明は符号を準用して省略し、相違する構成について説明する。
上面部１ａは肉厚の一重状に形成してある。
【００１０】
図４には本発明の改修用取付具における実施の他の１形態を例示しており、構成は前記した図１の態様のものと基本的に同一であるため、共通している構成の説明は符号を準用して省略し、相違する構成について説明する。
当て部１ｅは、別部材で形成してあり、延長部１ｅ１端の固定部１ｅ３を左方の側面部１ｃ内面にボルト３およびナット４で止着固定してある。
また、保持部１ｆは、前後別体の別部材で形成してあり、それぞれ固定部１ｆ３を上面部１ａ上にボルト５およびナット６で止着固定してある。
【００１１】
図５には本発明の屋根改修構造における実施の１形態として、図１の取付具を用いた屋根改修構造を例示しており、既設屋根７は、下地８上にアスファルトルーフィング等の防水部材９を経て既設屋根材１０を左右平行状に敷設してあると共に、既設屋根材１０左右側縁の立ち上げ部１０ａ上端部と、この左右に隣り合う立ち上げ部１０ａ間における樋状縦桟材１１の左右起立部１１ａ上端部と、この左右起立部１１ａ上端部間に亘り被嵌されたキャップ材１２左右両端部とを三者一体状にはぜ締めすることで、外方へ突出状の左右の突縁状はぜ部７ｂおよびキャップ材１２上面部による上面部７ｃが形成された縦桟７ａを有する屋根面意匠に葺かれている。
【００１２】
この既設屋根７の縦桟７ａには、取付具１を左右の係止部１ｄが左右の突縁状はぜ部７ｂの下側に達するまで押し込むことにより長手方向に適宜間隔をおいて配設してある。そして、ボルト２を締め付けることにより、ボルト２下端で当て部１ｅを押し下げて上位置から下位置に可動させて縦桟７ａの上面部７ｃに当接させると共に、さらに、ボルト２を締めて、上面部７ｃを台にして取付具１全体を引き上げ、左右側面部１ｃの係止部１ｄを縦桟７ａの左右の突縁状はぜ部７ｂに下側から係止せしめることで、縦桟７ａに取付具１を固定状態に取り付けてある。
かかる既設屋根７の左右に隣り合う取付具１間における既設屋根材１０上面部には断熱材１３を配設すると共に新設屋根１４を葺いてある。
新設屋根１４の新設屋根材１５は、左右に隣り合う取付具１間の断熱材１３上に敷設すると共に、新設屋根材１５における左右に隣り合う立ち上がり部１５ａ上側の第１係止部１５ｂを保持部１ｆ上側の第１被係止部１ｆ１に、立ち上がり部１５ａ下側の第２係止部１５ｃを下側の第２係止部１ｆ２に、それぞれ係止させて葺いてある。
そして、左右の第１係止部１５ｂと第１被係止部１ｆ１との係止部分には内カバー１６を被嵌して、第１被係止部１ｆ１に対して第１係止部１５ｂを係止状態にロックしてある。また、この内カバー１６を含めて、左右の新設屋根材１５の隣り合う立ち上がり部１５ａには、外カバー１７を被嵌して雨仕舞している。
【００１３】
図６には本発明の屋根改修構造における実施の他の１形態として、図４の取付具を用いた屋根改修構造を例示しており、構成は前記した図５の態様のものと取付具１の違いを除いて基本的に同一であるため、構成の説明は符号を準用して省略する。
【００１４】
図示していないが、図１の取付具１における保持部１ｆを別部材で形成してボルト・ナットで止着固定する態様にしても良いし、図４における取付具１における別部材の保持部１ｆを上面部１ａに同一体に形成する態様にしても良い。
【００１５】
【発明の効果】
Ａ．請求項１により、既設屋根にビス等の固定具のための孔を開けたり傷付けたりすることによる雨仕舞の不安を無くし、しかも、既設屋根への取り付けを確実且つ効率良く簡単に行なって改修することができる。また、上面部におけるボルトを締めつけ操作することにより、工具の取りまわしスペースが十分に確保され、既設屋根面を傷つけることも無い。
Ｂ．請求項２により、前記１の取付具を用いることで、雨仕舞の不安が無く、しかも、工具を自在に取り回して改修・施工を効率良く行なうことができ、コスト的にも安価に施工できる。
Ｃ．請求項３により、さらに、高い断熱性を有する屋根構造に改修・施工できる。
【図面の簡単な説明】
【図１】本発明の改修用取付具における実施の１形態を例示している縦断正面図。
【図２】側面図。
【図３】本発明の改修用取付具における実施の他の１形態を例示している縦断正面図。
【図４】本発明の改修用取付具における実施の他の１形態を例示している縦断正面図。
【図５】本発明の屋根改修構造における実施の１形態として、図１の取付具を用いた屋根改修構造を例示している縦断正面図。
【図６】本発明の屋根改修構造における実施の他の１形態として、図４の取付具を用いた屋根改修構造を例示している縦断正面図。
【符号の説明】
１  取付具
１ａ  上面部
１ｂ  ねじ孔部
１ｃ  左右側面部
１ｄ  係止部
１ｅ  当て部
１ｅ１  延長部
１ｅ２  当接部
１ｅ３  固定部
１ｆ  保持部
１ｆ１  第１被係止部
１ｆ２  第２被係止部
１ｆ３  固定部
２、３、５  ボルト
４、６  ナット
７  既設屋根
７ａ  縦桟
７ｂ  突縁状はぜ部
７ｃ  上面部
８  下地
９  防水部材
１０  既設屋根材
１０ａ  立ち上げ部
１１  樋状縦桟材
１１ａ  左右起立部
１２  キャップ材
１３  断熱材
１４  新設屋根
１５  新設屋根材
１５ａ  立ち上がり部
１５ｂ  第１係止部
１５ｃ  第２係止部
１６  内カバー
１７  外カバー
【図１】
2004300669.tif 000003
【図２】
2004300669.tif 000004
【図３】
2004300669.tif 000005
【図４】
2004300669.tif 000006
【図５】
2004300669.tif 000007
【図６】
2004300669.tif 000008